(57)【要約】【課題】感光材料Ｐに発色ムラが生じ難い現像処理装置を提供する。【解決手段】現像処理液を保持した複数の処理槽と、露光処理済みの感光材料を各処理槽内の処理液中で搬送する搬送機構とを備え、搬送機構は、上流側の処理槽３１から引き出された感光材料Ｐを下流側の処理槽３２に受け渡すために処理液面よりも上方に配置された液面外ローラ４４を含む現像処理装置において、液面外ローラ４４の表面から落下する上流側の処理液Ｌ１を、液面外ローラ４４によって下流側の処理槽３２の処理液内へ送り込まれる写真感光材料Ｐから分離された状態で下流側の処理槽３２の処理液に導入する分離導入手段４９を設けた。【選択図】図３
2009103740.tif 000002
【特許請求の範囲】
【請求項１】
現像処理液を保持した複数の処理槽と、露光処理済みの感光材料を前記各処理槽内の処理液中で搬送する搬送機構とを備え、前記搬送機構は、上流側の処理槽から引き出された感光材料を下流側に隣接する処理槽に受け渡すために処理液面よりも上方に配置された液面外ローラを含む現像処理装置であって、
前記液面外ローラ(44)の表面から落下する上流側の処理液(L1)を、前記液面外ローラ(44)によって下流側の処理槽(32)の処理液内へ送り込まれる写真感光材料(P)から分離された状態で下流側の処理槽(32)の処理液に導入する分離導入手段(49,69,79)が設けられていることを特徴とする現像処理装置。
【請求項２】
前記液面外ローラ(44)の表面に溜まった処理液(L1)を下流側の処理槽(32)の処理液面に向けて流下させるための傾斜案内部材(48,68)が設けられていること、及び、この傾斜案内部材(48,68)の前記処理液面よりも上方に、流下して来る前記処理液(L1)の流れを偏向させる切り欠き(49,69)が前記分離導入手段として形成されていることを特徴とする請求項１に記載の現像処理装置。
【請求項３】
前記切り欠き(49,69)は前記傾斜案内部材(48,68)を貫通する形で形成されたスリットであり、このスリットよりも下方の前記傾斜案内部材(48)の部位が、前記写真感光材料(P)を前記上流側の処理液(L1)の流れから分離する隔壁部材を構成していることを特徴とする請求項２に記載の現像処理装置。
【請求項４】
前記切り欠き(49)の下方側縁部付近から前記傾斜案内部材(48)の表面と交差するように延びた補助隔壁部材(50,50d)が設けられていることを特徴とする請求項２または３に記載の現像処理装置。
【発明の詳細な説明】
【技術分野】
【０００１】
本発明は、現像処理液を保持した複数の処理槽と、露光処理済みの感光材料を前記各処理槽内の処理液中で搬送する搬送機構とを備え、前記搬送機構は、上流側の処理槽から引き出された感光材料を下流側の処理槽に受け渡すために処理液面よりも上方に配置された液面外ローラを含む現像処理装置に関する。
【背景技術】
【０００２】
この種の現像処理装置に関連する先行技術文献情報として下記に示す特許文献１がある。この特許文献１に記された現像処理装置は、処理槽内に着脱自在に設けられた液中ラック、及び、互いに隣接する液中ラックの上方に配置されたクロスオーバラックを備え、これらのラックには、多数の回転駆動可能なローラ対が搬送機構として設けられている。特にクロスオーバラックに設けられた上流側と下流側の２組のローラ対は液面外ローラを構成している。
【０００３】
例えば、第１槽である発色現像槽で発色現像処理を受けた感光材料は、クロスオーバラックの上流側の液面外ローラによって発色現像液から上方に引き出され、引き続き下流側の液面外ローラによって、次の漂白定着槽へと円滑に手渡され、漂白定着処理液の中に送り込まれる。
【０００４】
発色現像液から上方に引き出される感光材料が、上流側と下流側の２組の液面外ローラによって絞り取られる（スクイズされる）ことで、感光材料の表面に付着した形で次の漂白定着槽へと持ち込まれる発色現像液の量がコントロールされる。液面外ローラによって感光材料の表面から絞り取られた発色現像液の一部は、下流側の液面外ローラ（特に感光材料の感光面と接する下方のローラ）の表面に溜まり、そこから漂白定着槽へ落下する形で漂白定着槽に導入される。
【０００５】
【特許文献１】特開２００７−１７１６３２号公報（段落番号００３７、図３）
【発明の開示】
【発明が解決しようとする課題】
【０００６】
しかし、特許文献１に記された現像処理装置では、現像処理の全工程と乾燥工程とを終えて出力された感光材料に発色ムラが見られる場合があった。特に発色作用の強い高品質の感光材料において上記の傾向が強く見られた。
【０００７】
そこで、本発明の目的は、上に例示した従来技術による現像処理装置の持つ欠点に鑑み、より発色ムラが生じ難い現像処理装置を提供することにある。
【課題を解決するための手段】
【０００８】
本発明の第１の特徴構成は、現像処理液を保持した複数の処理槽と、露光処理済みの感光材料を前記各処理槽内の処理液中で搬送する搬送機構とを備え、前記搬送機構は、下流側の処理槽から引き出された感光材料を上流側の処理槽に受け渡すために処理液面よりも上方に配置された液面外ローラを含む現像処理装置であって、
前記液面外ローラの表面から落下する上流側の処理液を、前記液面外ローラによって下流側の処理槽の処理液内へ送り込まれる写真感光材料から分離された状態で下流側の処理槽(32)の処理液に導入する分離導入手段が設けられている点にある。
【０００９】
本発明の第１の特徴構成による現像処理装置では、液面外ローラを経て持ち込まれる上流側の処理液を、下流側の処理槽の処理液内へ送り込まれる感光材料から分離された状態で下流側の処理槽に導入する分離導入手段を新たに設け、感光材料が液面付近にて上流側の処理液の作用を受け難くすることで、発色作用の強い高品質の感光材料においても、上記の発色ムラの問題が顕著に解消され、より高品質のプリントを安定して出力可能な現像処理装置が得られた。
【００１０】
すなわち、出願人の観察及び実験的推考によれば、上述の特許文献１による現像処理装置では、図８に例示するように、下流側の液面外ローラ１４４の表面から落下した発色現像液Ｌ１が次の漂白定着槽の漂白定着液Ｌ２の表面に停滞する傾向があり、前述の発色ムラは、発色現像槽から既に排出された感光材料Ｐに対して、この停滞した発色現像液による更なる現像作用が生じるためと理解された。
【００１１】
そこで、出願人は本発明の第１の特徴構成のように、液面外ローラの表面から落下する上流側の処理液を、下流側の処理槽へ送り込まれる写真感光材料から分離された状態で下流側の処理槽に導入する分離導入手段を適所に設けることで、下流側の処理槽に導入された処理液の作用から感光材料を保護することができると推察し、幾つかの手法によって実現を試みたところ、推察の通りに画像の発色ムラが解消されたものである。
【００１２】
本発明の他の特徴構成は、前記液面外ローラの表面に溜まった処理液を下流側の処理槽の処理液面に向けて流下させるための傾斜案内部材が設けられていること、及び、この傾斜案内部材の前記処理液面よりも上方に、流下して来る前記処理液の流れを偏向させる切り欠きが前記分離導入手段として形成されている点にある。
【００１３】
本構成であれば、先ず、傾斜案内部材が設けられているために、処理液が傾斜案内部材の上面を伝って滑らかに流下するので、液面に向かって真下に落下した場合に見られ易い液の跳ね上がりが無くなり、その液の飛沫による感光材料への影響が防止される。さらに、傾斜案内部材を伝って流下してきた処理液の流れは切り欠きによって、傾斜案内部材の裏側や感光材料の幅方向の端部などへ偏向させられ、いずれにしても、傾斜案内部材の上面と下流側の処理槽の処理液との界面に向かう最短経路から迂回させられるので、上流側から持ち込まれた処理液による直接的な影響から感光材料を確実に保護できる。
【００１４】
本発明の他の特徴構成は、前記切り欠きは前記傾斜案内部材を貫通する形で形成されたスリットであり、このスリットよりも下方の前記傾斜案内部材の部位が前記隔壁部材を構成している点にある。
【００１５】
本構成であれば、傾斜案内部材を伝って流下してきた処理液はスリットを通過して傾斜案内部材の裏側の空間に導かれ、この空間に貯留されている下流側の処理液の液面に達する。しかし、このように下流側の処理液の液面に達した上流側の処理液は、スリットよりも下方の傾斜案内部材の部位によって、感光材料から隔離されているので、感光材料に直接的な影響を及ぼさない。スリットよりも下方の傾斜案内部材の部位は、液面を貫通するような形で隔壁部材を構成している。この構成の場合、前記傾斜案内部材に切り欠きを設けるだけという、非常に安価に実現可能な簡単な構成で課題が解決できる。
【００１６】
本発明の他の特徴構成は、前記切り欠きの下方側縁部付近から前記傾斜案内部材の表面と交差するように延びた補助隔壁部材が設けられている点にある。
【００１７】
本構成であれば、液面外ローラの表面から空中を飛ぶ処理液の飛沫や、液面外ローラの表面から傾斜案内部材の上面に落下した際に飛び散る飛沫が、感光材料に達する現象を補助隔壁部材によって抑制できる。
【発明を実施するための最良の形態】
【００１８】
以下に本発明による最良の実施形態について図面を参照しながら説明する。
〔全体構成〕
図１は、一般にデジタルミニラボと称せられる写真プリント装置を示す。この写真プリント装置は、主にオペレートブロックＡとプリントブロックＢとで構成されている。オペレートブロックＡではデジタル信号化された画像データの処理、及び、システム全体の基本的な制御が行われ、必要に応じて、現像済みの写真フィルムＦのコマ画像のデジタル信号化も行われる。プリントブロックＢでは、感光材料としての銀塩式の印画紙Ｐに対して露光処理と現像処理と乾燥処理が行われる。プリントブロックＢの現像部Ｄｅには、本発明による現像処理装置が適用されている。
【００１９】
〔オペレートブロック〕
オペレートブロックＡは、コンソール１に対し写真フィルムＦのコマ画像を光電変換によりデジタル信号化して画像データとして取り込むフィルムスキャナ２、各種情報を表示するディスプレイ３、及び、画像処理とプリントに必要な各種処理とを行う汎用コンピュータで成る画像処理装置４を備えている。コンソール１の上面には画像処理装置４に対して情報を入力するためキーボード５と、ポインティングデバイスとして機能するマウス６とが備えられている。
【００２０】
画像処理装置４には、ＣＤやＭＯ等のディスク型のメディア、或いは、半導体型のメディア（図示せず）からの画像データを取得するためのメディアドライブ７が備えられている。画像処理装置４は、ディスプレイ３に表示に従ってキーボード５やマウス６を操作することにより、色補正や濃度補正等の画像処理ばかりでなく、プリントに関連する処理を実現するインタフェースを具備している。
【００２１】
フィルムスキャナ２の光源部の上面には、種々の写真フィルムＦの寸法規格に適合したフィルムキャリア２Ａを装着することができる。フィルムキャリア２Ａは、セットされた写真フィルムＦを一定速度で長手方向に搬送する機能を有する。フィルムスキャナ２によるスキャニングを開始すると、フィルムキャリア２Ａにセットされた写真フィルムＦが、光源部からの光ビームを照射されつつ長手方向に搬送される。写真フィルムＦのコマ画像を透過した光ビームは、ズームレンズを介して上部の光電変換部に導かれる。このようにして、写真フィルムＦの搬送と同期して、写真フィルムＦのコマ画像データが光電変換部によってＲ（赤）、Ｇ（緑）、Ｂ（青）の３原色に色分解したデジタル信号となる画像データとして取得される。取得された画像データは画像処理装置４に転送され保存される。
【００２２】
〔プリントブロック〕
プリントブロックＢは、図１及び図２に示すように、露光部Ｅｘと、現像部Ｄｅと、乾燥部Ｄｒとを暗箱構造の筐体１０に収容した構造を有する。また、乾燥部Ｄｒの出口には、筐体１０の上部の排出部１１から送り出される乾燥済みの印画紙Ｐを水平方向に送る搬送ベルト１２、及び、その印画紙Ｐをオーダー単位でトレー１３Ａ内に仕分けて集積するソータ１３が設けられている。
【００２３】
〔露光部〕
図２に示すように、露光部Ｅｘは、下部に配置された２つの印画紙マガジンＭ、２つの印画紙マガジンＭの一方からの印画紙Ｐを引き出すアドバンスローラ２０、プリントサイズの印画紙Ｐに切断するカッター２１、露光搬送ユニット２３、及び、カッター２１によって後端を切断された印画紙Ｐを露光搬送ユニット２３に受け渡す挟持搬送ユニット２２を備えている。挟持搬送ユニット２２は、上下方向に往復移動可能である。
【００２４】
露光搬送ユニット２３は、供給された印画紙Ｐを副走査方向に搬送しながら露光ヘッドＨで主走査方向に露光処理する。露光搬送ユニット２３の下流側には、露光搬送ユニット２３で露光された印画紙Ｐを送り出す後搬送ユニット２４、後搬送ユニット２４から送り出される印画紙Ｐを２列搬送状態に分配した上で現像部Ｄｅに受け渡す振り分けユニット２５（分配処理部）、振り分けられた印画紙Ｐを現像部Ｄｅに送り込む中継搬送ユニット２６を備えている。振り分けユニット２５では、主走査方向と副走査方向とに変位可能なチャッカーＣが、露光搬送ユニット２３から受け取った印画紙Ｐを互いに左右方向で隣接した２つの搬送レーンに交互に送り出す。
【００２５】
露光搬送ユニット２３は、印画紙Ｐを圧着する圧着状態と解除状態とに切り換え自在な複数の搬送ローラ対を備え、この複数の搬送ローラ対を圧着状態と解除状態とに切り換えることによって円滑な搬送を実現している。露光ヘッドＨとしては、様々なタイプの露光エンジンから適宜選択して採用することができる。ここでは、Ｒ（赤）、Ｇ（緑）、Ｂ（青）の３原色のレーザ光源からの光線を、縦軸芯周りで回転するポリゴンミラーで反射させ、主走査方向に走査する形態での露光を実現するレーザ式露光エンジンが用いられている。
【００２６】
乾燥ブロックＤｒは、現像ブロックＤｅから送り出される印画紙Ｐを排出部１１に搬送するために複数の圧着型の搬送ローラ１５、及び、この搬送ローラ１５で搬送される印画紙Ｐにヒータで加熱された空気を供給するブロワ１６を備えている。
【００２７】
〔現像部〕
現像部Ｄｅは、発色現像処理液（ＣＤ液）を貯留する１つの発色現像処理槽３１、漂白定着処理液（ＢＦ液）を貯留する１つの漂白定着処理槽３２、及び、安定処理液（ＳＴＢ液）を貯留する４つの安定処理槽３３Ａ、３３Ｂ、３３Ｃ、３３Ｄの合計６つの処理槽によって構成された現像処理槽群３０を備えている。これらの各処理槽は、印画紙Ｐの搬送方向に関して上流側から下流側に向けて、発色現像処理槽３１、漂白定着処理槽３２、４つの安定処理槽３３Ａ、３３Ｂ、３３Ｃ、３３Ｄの順序で互いに隣接配置されている。以降、本明細書では、上流側及び下流側という用語は、基本的に、印画紙Ｐの搬送方向に関しての上流側及び下流側を意味する。
【００２８】
図４に示すように、全ての処理槽３１，３２，３３Ａ，３３Ｂ，３３Ｃ，３３Ｄの側部にはサブタンク３０Ｓが備えられている。図には示されていないが、サブタンク３０Ｓには、液面レベルの管理手段、処理液温度の調節手段、濾過機構、及び、処理液補充機構が設けられている。サブタンク３０Ｓの底部と各処理槽の底部上部とはチューブ状の循環路３６によって接続されており、この循環路３６の途中に循環用ポンプ３５が介装されている。また、現像処理槽群３０の各処理槽とサブタンク３０Ｓとは、液面付近において互いに自由に流通できるように連通接続されている。そのため、循環用ポンプ３５によって、サブタンク３０Ｓ内の処理液を各処理槽に強制的に供給し、再びサブタンク３０Ｓ内に戻す循環経路ＣＦが形成されている。
【００２９】
４つの安定処理槽３３Ａ、３３Ｂ、３３Ｃ、３３Ｄについてはカスケード接続が採用されている。具体的には、最下流側の安定処理槽３３Ｄの液面レベルが最も高く、上流側の安定処理槽ほど液面レベルが低くなるように設定されている。このカスケード接続と呼ばれる構成によって、最下流位置の安定処理槽３３Ｄのサブタンク３０Ｓに供給した新鮮な安定処理液が、上流側に隣接するサブタンクに順次オーバーフローによって供給される。
【００３０】
〔搬送機構〕
図２に例示するように発色現像処理槽３１と、漂白定着処理槽３２と、各安定処理槽３３との各々には、印画紙Ｐを各処理液内にて上流側から下流側に向けて搬送する搬送機構が備えられている。この搬送機構は互いに隣接配置された複数の処理ラックによって構成されている。
【００３１】
最も上流側の処理ラックは、露光部Ｅｘの中継搬送ユニット２６から供給される印画紙Ｐを受け入れる複数の圧着ローラ対４０を備えた導入ラック４１である。導入ラック４１の下流側には、上流側から供給される印画紙Ｐを各処理槽３１，３２，３３の処理液の中に送り込み、浸漬状態での処理の後に再び液面上に引き上げる６個の液中ラック４３が、各処理槽内に着脱自在に挿入設置されている。
【００３２】
互いに隣接する２つの液中ラック４３の境界の上部にはクロスオーバラック４５が配置されている。クロスオーバラック４５には、一方の液中ラック４３から上方に排出される印画紙Ｐを次の処理槽の液中ラック４３に受け渡すための２組の搬送ローラ対４４ａ，４４ｂ，４４ｃ，４４ｄが備えられている。最後の液中ラック４３の下流側には、処理槽３３Ｄから排出される印画紙Ｐを、その印画紙Ｐに付着した安定処理液を除去しながら乾燥部Ｄｒに送り出すように複数の搬送ローラ対４６を備えたスクイズラック４７が配置されている。
【００３３】
各液中ラック４３には複数組の圧着ローラ４２によってＵ字状の経路が形成されている。また、クロスオーバラック４５に設けられた２組の搬送ローラ対４４ａ，４４ｂ，４４ｃ，４４ｄは、処理液面よりも上方に配置された液外ローラである。現像部Ｄｅにて処理中の印画紙Ｐの表裏関係について述べれば、クロスオーバラック４５の２組の搬送ローラ対４４ａ，４４ｂ，４４ｃ，４４ｄの中間付近を搬送されている時、印画紙Ｐの乳剤面（感光面の一例）が下方を向く姿勢になっている。
【００３４】
〔傾斜案内部材〕
図３に示すように、互いに隣接する各液中ラック４３の境界部の上端には、クロスオーバラック４５の下側の搬送ローラ４４ａ，４４ｃの下端付近に溜まっては落下する処理液を案内するための一対の概して板状で樹脂製の傾斜案内部材４８が設けられている。各傾斜案内部材４８には、水平に対して約４５°の角度で延びた平坦で滑らかな傾斜案内面４８ａが形成されている。傾斜案内面４８ａは、下側の搬送ローラ４４ａ，４４ｃの周面付近から、それぞれが属する処理槽の処理液の液面下まで延びている。したがって、上流側の処理槽から持ち出され、搬送ローラ４４ａ，４４ｃから落下した処理液は、傾斜案内面４８ａを伝って各処理液面まで静かに流下する。そのため、搬送ローラ４４ａ，４４ｃから処理液の液面に直接落下した際に飛沫が生じて印画紙Ｐの乳剤面に達するなどの現象が抑制される。
【００３５】
〔分離導入手段の構造〕
図３及び図５に示すように、発色現像処理槽３１と漂白定着処理槽３２との間に設けられた一対の傾斜案内部材４８の内で、漂白定着処理槽３２の側に配置された傾斜案内部材４８′は、他の箇所の傾斜案内部材４８と異なる形状を備えている。すなわち、この傾斜案内部材４８′の処理液面よりも上方には、搬送される印画紙Ｐの幅方向に直線的に延びたスリット状の切り欠き４９（分離導入手段）が形成されている。ここでスリット状とは、切り欠き４９が、傾斜案内部材４８′の傾斜案内面４８ａ′を表側から裏側まで貫通した貫通孔であることを意味している。
【００３６】
また、傾斜案内部材４８′の裏面側には、印画紙Ｐの幅方向に直線的に延びた樋状の補助案内部材５０（分離導入手段）が取り付けられている。補助案内部材５０は、金属板などで形成されており、下流側の処理槽３２の上流側の内壁に沿うように傾斜案内部材４８′の一部に固定された第１垂直部５０ａ、第１垂直部５０ａの下端から水平に延びた底部５０ｂ、底部５０ｂの他端から上方に延びた第２垂直部５０ｃ、第２垂直部５０ｃの上端から切り欠き４９を通過して傾斜案内部材４８′の外側まで延びた先端部５０ｄとからなる。漂白定着処理槽３２に貯留されている漂白定着液の液面は、通常は補助案内部材５０の底部５０ｂよりも若干高いレベルに達している。
【００３７】
ところで、サブタンク３０Ｓの底部から処理液を抽出して各処理槽の底部から注入し、各処理槽の処理液の上面付近からサブタンク３０Ｓに戻すという循環用ポンプ３５による循環経路Ｃによって、各処理槽に貯留された処理液の上面付近には、印画紙Ｐの幅方向に沿ってサブタンク３０Ｓと離間した液面付近からサブタンク３０Ｓに近接した液面付近へと向かう表面流が形成されている。
【００３８】
他方、補助案内部材５０の長手方向（搬送される印画紙Ｐの幅方向）の両端面と、下流側の処理槽３２の内面との間には一定の長さ（例えば約１０から１５ｍｍ程度）の間隙が設けられており、補助案内部材５０の底部５０ｂの内面付近に位置する少量の漂白定着液は、これらの２箇所の間隙を介して、漂白定着処理槽３２に貯留されている大半の漂白定着液と連通状態にある。したがって、補助案内部材５０の底部５０ｂ付近には、サブタンク３０Ｓから遠い側の一方の間隙から補助案内部材５０の内部に進入し、補助案内部材５０の内面に沿ってサブタンク３０Ｓ側に向かい、サブタンク３０Ｓに近接した側の他方の間隙から補助案内部材５０を出て、漂白定着処理槽３２の本体内やサブタンク３０Ｓ内の漂白定着液と合流する、という一定の方向の漂白定着液の流れが作り出されている。
【００３９】
〔分離導入手段の作用〕
発色現像処理槽３１での処理を終えた印画紙Ｐが、最も上流側のクロスオーバラック４５によって次の漂白定着処理槽３２に手渡される際には、印画紙Ｐの表裏面に付着した発色現像液がクロスオーバラック４５に設けられた２組の搬送ローラ対４４ａ，４４ｂ，４４ｃ，４４ｄによって或る程度まで絞り取られる。下流側に設けられた搬送ローラ対４４ｃ，４４ｄによって絞り取られた発色現像液の大半は、下方に位置する搬送ローラ４４ｃの周面の下端付近に液溜まりを形成しつつ、落下する。
【００４０】
図３に例示するように、搬送ローラ４４ｃの表面から落下した発色現像液は、傾斜案内部材４８′に達すると傾斜案内面４８ａ′を流下するが、傾斜案内面４８ａ′の途中にスリット状の切り欠き４９が存在するので、この切り欠き４９を通って傾斜案内部材４８′の裏面側に偏向した流れとなり、補助案内部材５０の底部５０ｂ付近に位置する前述した漂白定着液の流れに合流し、サブタンク３０Ｓに近接した側の他方の間隙の付近にて、サブタンク３０Ｓなどに在る、補助案内部材５０の外の残りの大量の漂白定着液に混合−導入される。したがって、搬送ローラ対４４ｃ，４４ｄによって漂白定着処理槽３２の漂白定着液内へ送り込まれる印画紙Ｐが、搬送ローラ４４ｃから落下した発色現像液と直接遭遇することはない。すなわち、切り欠き４９（分離導入手段）が存在するために、液面外ローラ４４の表面から落下する上流側の処理液Ｌ１は、下流側の処理槽３２へ送り込まれる印画紙Ｐから分離された状態で下流側の処理槽３２の処理液に導入することになる。
【００４１】
尚、補助案内部材５０の先端部５０ｄは、切り欠き４９の下方側縁部付近から傾斜案内面４８ａ′に沿った仮想面と交差するように延びることで、液面外ローラ４４ｃ，４４ｄの表面から空中を飛ぶ処理液の飛沫や、液面外ローラ４４ｃ，４４ｄの表面から傾斜案内部材４８′の上面に落下した際に飛び散る飛沫が印画紙Ｐに達する現象を抑制するための補助隔壁部材を構成している。
【００４２】
〔別実施形態〕
〈１〉補助案内部材５０の底部５０ｂを漂白定着液の液面よりも高いレベルに設け、且つ、底部５０ｂをサブタンク３０Ｓに向かって次第にレベルが下がるように傾斜させても良い。これによって、搬送ローラ４４ｃの表面から落下して補助案内部材５０に進入した発色現像液は、サブタンク３０Ｓから遠い側からサブタンク３０Ｓ側に向かって流れ、サブタンク３０Ｓに近接した側の間隙の付近にて、補助案内部材５０の外の残りの大量の漂白定着液に混合される。この構成の場合、補助案内部材５０のサブタンク３０Ｓから遠い側は閉鎖された構造にすることで、補助案内部材５０の同部位から発色現像液が落下しないようにしておけば良い。
【００４３】
〈２〉図６に例示するように、図３及び図５の実施形態（第１の実施形態）から樋状の補助案内部材５０を省略し、傾斜案内面６８ａを表側から裏側まで貫通したスリット状の切り欠き６９（分離導入手段）を設けるだけの形態で実施しても良い。この場合、スリット状の切り欠き６９よりも下方の傾斜案内部材６８の部位が、写真感光材料を上流側の処理液の流れから分離する隔壁部材を構成する。図６の例では、傾斜案内部材６８の切り欠き６９の下側縁部に補助隔壁部材７０（分離導入手段）が設けられている。ここでは、傾斜案内部材６８をモールド内での樹脂の射出成形によって形成する際に、補助隔壁部材７０を一体形成している。但し、補助隔壁部材７０は省略することも可能である。
【００４４】
〈３〉分離導入手段を、貫通孔によってではなく、図７に示すように、傾斜案内部材７８の一部に配置した溝部７９によって構成しても良い。図７の例では、傾斜案内部材７８の傾斜案内面７８ａの一部が全長に渡って下方に落ち込むことで、上向きに開いた袋状の溝部７９が形成されている。溝部７９の開口縁部の下方側からは発色現像液の飛沫を受け止めるための補助隔壁部材７９ａ（分離導入手段）が一体的に延びている。図７では、溝部７９の下端は漂白定着液の液面より下方に位置し、溝部７９の長手方向（搬送される印画紙Ｐの幅方向）の両端面と処理槽３２の内面との間には一定の長さ（例えば約１０から１５ｍｍ程度）の間隙が設けられている。
【００４５】
但し、図７の例に対して、溝部７９の下端を液面より上方に配置した変形を行っても良く、この場合、溝部７９の底面にサブタンク３０Ｓに向かって次第にレベルが下がる傾斜を付けると良い。
【００４６】
本発明による分離導入手段は、隣接する処理槽の間に傾斜案内部材が設けられていない現像処理装置にも適用することができる。この場合、一般に、上流側の処理液が液面外ローラの表面から真下に落下する形で下流側の処理槽に導入される。この場合、下流側の処理液の液面に達する上流側の処理液と、液面外ローラによって下流側の処理槽のへ送り込まれる印画紙Ｐとの間に、一部が下流側の処理液の液面に浸漬された縦壁状部材を分離導入手段として設ければ良い。
【００４７】
〈４〉液外ローラは上記実施形態のように２組に限らず、例えば、隣接する処理槽の境界面に沿って上下に並ぶように配置された２つのローラで構成された１組の液外ローラとしても良い。
【００４８】
〈５〉上記の実施形態では、最も必要性の高い、発色現像処理槽３１と漂白定着処理槽３２の境界に配置された下流側の傾斜案内部材４８にのみ切り欠き４９（分離導入手段）を設けているが、他の隣接する２つの処理槽の境界に配置された下流側の傾斜案内部材４８に設けても、類似の効果を期待することができる。
【００４９】
〈６〉上記の分離導入手段は写真フィルムを処理する現像処理装置に設けても、同様の効果が奏される。
【図面の簡単な説明】
【００５０】
【図１】写真プリント装置の外観を示す斜視図
【図２】プリントブロックの構成を示す略図
【図３】分離導入手段を含む現像部の要部を示す断面図
【図４】処理槽とサブタンクの関係を示す略図
【図５】分離導入手段の周辺を示す斜視図
【図６】分離導入手段の別実施形態を示す断面図
【図７】分離導入手段のさらに別の実施形態を示す断面図
【図８】従来技術による現像部の要部を示す断面図
【符号の説明】
【００５１】
Ａ  オペレートブロック
Ｂ  プリントブロック
ＣＦ  循環経路
Ｄｅ  現像部
Ｄｒ  乾燥部
Ｅｘ  露光部
Ｈ  露光ヘッド
Ｐ  印画紙
４  画像処理装置
２３  露光搬送ユニット
３０  現像処理槽群
３０Ｓ  サブタンク
３１  発色現像処理槽
３２  漂白定着処理槽
３３  安定処理槽
３５  循環用ポンプ
３６  循環路
４３  液中ラック
４４ａ，４４ｂ，４４ｃ，４４ｄ  搬送ローラ対
４５  クロスオーバラック
４８  傾斜案内部材
４８ａ  傾斜案内面
４９  切り欠き（分離導入手段）
５０  補助案内部材（分離導入手段）
５０ａ  第１垂直部
５０ｂ  底部
５０ｃ  第２垂直部
５０ｄ  先端部
６９  切り欠き（分離導入手段）
６８  傾斜案内部材
７０  補助隔壁部材
７８  傾斜案内部材
７８ａ  傾斜案内面
７９  溝部（分離導入手段）
７９ａ  補助隔壁部材
【図１】
2009103740.tif 000003
【図２】
2009103740.tif 000004
【図３】
2009103740.tif 000005
【図４】
2009103740.tif 000006
【図５】
2009103740.tif 000007
【図６】
2009103740.tif 000008
【図７】
2009103740.tif 000009
【図８】
2009103740.tif 000010